(57)【特許請求の範囲】
【請求項１】
利用者が有する携帯通信端末と、
利用者との間で商品の対価を決済して該商品を利用者に提供する決済手段と自己の識別情報とを備えた商品提供手段と、
前記携帯通信端末からの景品提供要求に応じて、所定条件で利用者に対して前記商品提供手段が提供可能な商品を景品として提供することを決定する景品提供決定手段と、
該決定に応じて前記携帯通信端末を介して入力された前記商品提供手段の識別情報及び前記景品提供決定手段において決定された景品の景品情報に基づき、該景品の対価を免除する決済情報を該商品提供手段に対してネットワークを介して送信する手段とを備え、
前記商品提供手段の決済手段は、受信した決済情報に基づき景品に係る商品の対価を免除して該商品を利用者に提供する
ことを特徴とする景品提供システム。
【請求項２】
前記景品提供決定手段へのリンクを含む情報を携帯通信端末を介して利用者に提供する情報提供手段を備え、前記携帯通信端末は該情報提供手段の情報に含まれるリンクを介して前記景品提供決定手段にアクセスし景品提供要求する
ことを特徴とする請求項１記載の景品提供システム。
【請求項３】
前記商品提供手段は自動販売機からなる
ことを特徴とする請求項１又は２何れか１項記載の景品提供システム。
【請求項４】
前記商品提供手段は金銭登録器からなる
ことを特徴とする請求項１又は２何れか１項記載の景品提供システム。
【発明の詳細な説明】
【０００１】
【発明の属する技術分野】
本発明は、携帯通信端末を利用して利用者に対して景品を提供するシステムに関する。
【０００２】
【従来の技術】
従来、企業が顧客に対して景品を提供するには種々の方法が採用されている。例えば宣伝広告等を目的としたものでは、まず顧客に対して景品提供の広告を提示し、顧客からメール，ＦＡＸ，はがき等により応募を受け付ける。その後、応募者の中から抽選や先着順など所定の規則で当選者を決定し、該当選者に対して景品を郵便や宅配便などを利用して発送する。また、例えば商品の販売促進を目的としたものでは、自動販売機に抽選機能を設け、商品販売時に抽選を行い、当選した場合には、商品購入時に投入した金銭を利用者に還元する。また、同様に商品の販売促進を目的としたものでは、利用者に予め磁気カードやＩＣカードなどを配布し、いわゆるレジスターと呼ばれる金銭登録器において商品購入毎に該カードに購入ポイントを蓄積させ、該購入ポイントが所定値以上となった場合には該購入ポイントに応じた商品を景品として提供する。
【０００３】
【発明が解決しようとする課題】
しかしながら、上述した景品提供方法では種々の問題点があった。すなわち、当選者に景品を発送する方法では、顧客からの応募の受付処理が煩雑になるだけでなく、景品発送に多大なコストを要する。一方、応募者にとっては景品を手にするまで長期間を要する。また、自動販売機や金銭登録器において景品提供を実施する場合には、抽選機能やカード読取装置の設置に多大なコストを要する。
【０００４】
本発明は、上記事情に鑑みてなされたものであり、その目的とするところは、景品を迅速且つ低コストで提供できる景品提供システムを提供することにある。
【０００５】
【課題を解決するための手段】
上記目的を達成するために、請求項１では、利用者が有する携帯通信端末と、利用者との間で商品の対価を決済して該商品を利用者に提供する決済手段と自己の識別情報とを備えた商品提供手段と、前記携帯通信端末からの景品提供要求に応じて、所定条件で利用者に対して前記商品提供手段が提供可能な商品を景品として提供することを決定する景品提供決定手段と、該決定に応じて前記携帯通信端末を介して入力された前記商品提供手段の識別情報及び前記景品提供決定手段において決定された景品の景品情報に基づき、該景品の対価を免除する決済情報を該商品提供手段に対してネットワークを介して送信する手段とを備え、前記商品提供手段の決済手段は、受信した決済情報に基づき景品に係る商品の対価を免除して該商品を利用者に提供することを特徴とするものを提案する。
【０００６】
本発明によれば、まず携帯通信端末からの景品提供要求に応じて、景品提供決定手段により景品提供の有無が決定される。次に、前記景品提供の決定に応じて携帯通信端末から入力された商品提供手段の識別情報を前記決済情報の送信手段が受け取ると、該決済情報の送信手段は、該識別情報及び景品情報に基づき、商品提供手段に対して景品の対価を免除する決済情報を商品提供手段に対して送信する。該決済情報を受け取った商品提供手段は、該決済情報に基づき景品に係る商品の対価を免除して該商品を景品として利用者に提供する。
【０００７】
このように、景品提供の決定があった場合には、利用する商品提供手段の識別情報を携帯通信端末に入力することにより、該商品提供手段において景品を受け取ることが可能となる。これにより、景品の配送に係るコストや時間を軽減できるので、利用者に対して景品を迅速且つ低コストで提供できる。
【０００８】
また、請求項２では、請求項１記載の景品提供システムにおいて、前記景品提供決定手段へのリンクを含む情報を携帯通信端末を介して利用者に提供する情報提供手段を備え、前記携帯通信端末は該情報提供手段の情報に含まれるリンクを介して前記景品提供決定手段にアクセスし景品提供要求することを特徴とするものを提案する。
【０００９】
本発明によれば、利用者は情報提供手段から提供される情報に含まれるリンクを辿ることにより前記景品提供決定手段にアクセスすることができる。したがって、景品の提供者は該情報提供手段を利用して利用者に対して各種情報を提供することができる。
【００１０】
本発明の好適な態様の一例として、請求項３では、請求項１又は２何れか１項記載の景品提供システムにおいて、前記商品提供手段は自動販売機からなることを特徴とするものを提案する。また、請求項４では、請求項１又は２何れか１項記載の景品提供システムにおいて、前記商品提供手段は金銭登録器からなることを特徴とするものを提案する。
【００１１】
【発明の実施の形態】
（第１の実施の形態）
本発明の第１の実施の形態に係る景品提供システムについて図１を参照して説明する。図１は第１の実施の形態に係る景品提供システムの構成図である。
【００１２】
図１に示すように、この景品提供システムは、利用者が有する携帯通信端末１００と、利用者に対して各種情報を提供する情報提供サーバ２００と、景品の管理を行う景品管理サーバ３００と、自動販売機を集中管理する自動販売機管理サーバ４００と、該自動販売機管理サーバ４００により管理される複数の自動販売機５００を備えている。
【００１３】
携帯通信端末１００は、例えばＰＤＣ端末・ＧＳＭ端末・ＰＨＳ端末などの無線携帯端末であってデータ通信可能な端末である。この携帯通信端末１００は、無線通信網６０１に収容されており、該無線通信網６０１とインターネット６０２とを相互接続するゲートウェイサーバ６０３を介してインターネット６０２と接続することができる。また、この携帯通信端末１００は、Ｗｅｂブラウザ及びメールクライアントを備えている。なお、携帯通信端末１００の形態としては、携帯電話であってもＰＤＡ（Personal Digital Assistant）端末などの小型コンピュータ機器であってもよい。
【００１４】
情報提供サーバ２００は、インターネット６０３との接続インタフェースである通信制御部２０１と、該通信制御部２０１を介して携帯通信端末１００に情報を提供する情報提供部２０２を備えている。この情報提供サーバ２００は、景品の提供者が有するサーバであり、前記情報提供部２０２が提供する情報には該景品提供に関する各種情報や提供者による広告などの各種情報が含まれる。また、該情報には後述する景品管理サーバ３００へのリンクが含まれる。
【００１５】
景品管理サーバ３００は、インターネット６０３との接続インタフェースである通信制御部３０１と、携帯通信端末１００からの抽選要求に応じて景品の提供を決定する抽選部３０２と、景品提供が決定された場合に携帯通信端末１００を介して入力された後述する自動販売機５００の識別番号５０１及び提供に係る景品の情報を自動販売機管理サーバ４００に送信する識別番号等送信部３０３とを備えている。抽選部３０２は、提供を決定した景品の数を管理しており、所定の景品提供個数を超えた場合には景品提供の決定は行わない。
【００１６】
自動販売機管理サーバ４００は、インターネット６０３との接続インタフェースである通信制御部４０１と、各自動販売機における商品販売数や各機器の維持などを管理ＤＢ４０２ａを用いて集中管理する自動販売機管理部４０２と、各自動販売機５００を収容した自動販売機ネットワーク６０４との接続インタフェースである通信制御部４０３とを備えている。
【００１７】
自動販売機５００は、複数の自動販売機から一の自動販売機を識別可能な識別番号５０１を備えている。この識別番号５０１は携帯通信端末１００に入力可能に設けてある。本実施の形態では、識別番号５０１を刻印したプレートを自動販売機５００の前面に付設することにより、利用者が該識別番号５０１を携帯通信端末１００に入力できるようにした。
【００１８】
また、自動販売機５００は、自動販売機ネットワーク６０４との接続インタフェースである通信制御部５０２と、商品の販売数や売上金額などを管理する商品管理部５０３と、硬貨や紙幣を識別する金銭識別部５０４と、商品選択ボタン５０５と、収納する商品の搬出等を制御する商品販売制御部５０６とを備えている。商品管理部５０３は、金銭識別部５０４が金銭の所定額の投入を検出すると該金額で販売可能な商品選択ボタン５０５を点灯させて使用可能状態にし、何れかの商品選択ボタン５０５が押下されると商品販売制御部５０６を制御して該商品選択ボタン５０５に対応する商品を利用者に提供する。また、商品管理部５０３は自動販売機ネットワーク６０４を介して自動販売機管理サーバ４００からの指示に基づき商品販売制御部５０６を制御可能となっている。このように、自動販売機５００は、利用者との商品の提供に関して決済を行うことができる。
【００１９】
次に、この景品提供システムにおける景品提供の流れについて図２及び図３を参照して説明する。図２は第１の実施の形態に係る景品提供システムにおける景品提供の流れを説明する図、図３は第１の実施の形態に係る景品提供システムにおける携帯通信端末の表示画面を説明する図である。
【００２０】
まず、利用者が携帯通信端末１００をゲートウェイサーバ６０３に接続させると、ゲートウェイサーバ６０３が有するメニュー情報が携帯通信端末１００に送信される。このメニュー情報は各景品提供企業の情報提供サーバ２００へのリンク情報を含んでいる。利用者が該メニュー情報の中から所望の情報提供サーバ２００を選択すると携帯通信端末１００は該情報提供サーバ２００と接続し、該情報提供サーバ２００から提供される情報を受信する（図２のステップＳ１）。これにより、携帯通信端末１００の表示画面１０１には図３（ａ）のように情報７０１が表示される。ここで、該情報７０１には景品管理サーバ３００へのリンクを含む情報７０１ａが含まれる。
【００２１】
利用者が携帯通信端末１００の表示された前記情報から景品管理サーバ３００へのリンクを選択すると、携帯通信端末１００は景品管理サーバ３００と接続する。これにより携帯通信端末１００の表示画面１０１には図３（ｂ）のように景品提供を決定するための抽選ページ７０２が表示される。この抽選ページには、景品応募のためのリンク７０２ａが含まれており、利用者が該リンク７０２ａを選択することにより景品の応募が行われる（図２のステップＳ２）。
【００２２】
該応募が行われると、景品管理サーバ３００は、抽選部３０２において該応募に対して抽選を行い景品の提供が決定されると携帯通信端末１００に該決定を通知する（図２にステップＳ３）。これにより携帯通信端末１００の表示画面１０１には図３（ｃ）のように景品提供決定とともに、該決定に応じて利用者が利用する自動販売機５００の識別番号５０１の入力を促す入力ページ７０３が表示される。
【００２３】
利用者が自動販売機５００の識別番号５０１を入力すると該識別番号５０１は景品管理サーバ３００に送られる（図２のステップＳ４）。そして、景品管理サーバ３００の識別番号等送信部３０３により識別番号５０１及び景品種別などの景品情報が自動販売機管理サーバ４００に送信される（図２にステップＳ５）。
【００２４】
自動販売機管理サーバ４００は、景品管理サーバ３００から識別番号５０１及び景品情報を受信すると、該識別番号５０１に対応する自動販売機５００に対して当該景品に関して金銭の投入なしで商品販売を許可する指示を通知する（図２にステップＳ６）。
【００２５】
自動販売機５００の商品管理部５０３は、自動販売機管理サーバ４００から販売許可通知を受信すると、利用者からの金銭の投入をすることなく商品選択ボタン５０５を点灯させて使用可能状態にし、何れかの商品選択ボタン５０５が押下されると商品販売制御部５０６を制御して該商品選択ボタン５０５に対応する商品を景品８００として利用者に提供する（図２のステップＳ７）。
【００２６】
このように、本実施の形態に係る景品提供システムでは、利用者が携帯通信端末１００を利用して情報提供サーバ２００及び景品管理サーバ３００に接続して景品に応募し、利用する自動販売機５００の識別番号５０１を入力することにより、該自動販売機５００から景品を受け取ることができる。したがって、景品の配送に係るコストや時間を大幅に軽減できる。また、景品に応募するには情報提供サーバ２００に接続する必要があるので、景品の提供者にとって該情報提供サーバ２００を利用して利用者に対して広告など各種情報を提供することができる。
【００２７】
（第２の実施の形態）
本発明の第２の実施の形態に係る景品提供システムについて図４及び図５を参照して説明する。図４は第２の実施の形態に係る景品提供システムの構成図、図５は第２の実施の形態に係る景品提供システムにおける携帯通信端末の表示画面を説明する図である。なお、図において第１の実施の形態と同様の構成については同一の符号を付してその説明を省略する。
【００２８】
本実施の形態に係る景品提供システムが第１の実施の形態と相違する点は、第１の実施の形態では景品提供決定の条件として抽選を採用していたが、本実施の形態では所定条件での先着順を採用している点にある。以下、相違点について説明する。
【００２９】
図３に示すように、情報提供サーバ２００は、前記通信制御部２０１と情報提供部２０２に加えてアクセス管理部２０３とを備えている。アクセス管理部２０３は、情報提供部２０２が提供する情報毎に携帯通信端末１００からのアクセス回数を記録管理する。情報提供部２０２は、前記アクセス管理部２０３に記録されたアクセス回数に基づき携帯通信端末１００への提供情報を変更可能となっている。具体的には、特定の情報に対するアクセス数が所定回数以上となった場合にのみ景品管理サーバ３００へのリンクを含む情報を提供する。
【００３０】
景品管理サーバ３００は、通信制御部３０１と、携帯通信端末１００からの景品提供要求に応じて先着順で景品の提供を決定する先着管理部３０４と、景品提供が決定された場合に携帯通信端末１００を介して入力された後述する自動販売機５００の識別番号５０１及び提供に係る景品の情報を自動販売機管理サーバ４００に送信する識別番号等送信部３０３とを備えている。先着管理部３０４は、提供を決定した景品の数を管理しており、所定の景品提供個数を超えた場合には景品提供の決定は行わない。
【００３１】
このような景品提供システムでは、図５に示すように、携帯通信端末１００が情報提供サーバ２００にアクセスすると情報７１１が携帯通信端末１００の表示画面１０１に表示される（図５（ａ）及び（ｂ）参照）。情報提供部７０２が送出する該情報７１１には、所定の情報ページへのリンク７１１ａ及び景品管理サーバ３００へのリンク７１１ｂが含まれている。ここで、携帯通信端末１００から該リンク７１１ａを辿って得られる情報ページの閲覧回数が所定回数に達していない場合には、リンク７１１ｂは携帯通信端末１００から選択不可能となるように情報７１１を送出する（図５（ａ）参照）。そして、携帯通信端末１００から該リンク７１１ａを辿って得られる情報ページの閲覧回数が所定回数に達した場合には、リンク７１１ｂは携帯通信端末１００から選択可能となるように情報７１１を送出する（図５（ｂ）参照）。すなわち、前記リンク７１１ａを辿って所定の情報ページを所定回数閲覧しないと景品の応募ができないようになっている。ここで、該情報ページの内容としては、例えば人気商品ランキングページやアンケートへ回答ページなど景品提供者にとって景品提供の条件となるようなものが好ましい。
【００３２】
携帯通信端末が情報提供サーバ２００から景品管理サーバ３００へのリンク７１１ｂであって携帯通信端末１００から選択可能な情報７１１を受け取り、利用者が該リンク７１１ｂを選択すると、携帯通信端末１００は景品管理サーバ３００と接続する。そして、景品管理サーバ３００の先着管理部３０４において景品に残数がある場合には景品の提供が決定され、携帯通信端末１００に該決定が通知される。これにより携帯通信端末１００の表示画面１０１には図５（ｃ）のように景品提供決定とともに、該決定に応じて利用者が利用する自動販売機５００の識別番号５０１の入力を促す入力ページ７１２が表示される。
【００３３】
この後に利用者が携帯通信端末１００を利用して自動販売機５００の識別番号５０１を入力し、該自動販売機５００が景品を提供するまでの流れは第１の実施の形態と同様なので説明を省略する。
【００３４】
このように、本実施の形態に係る景品提供システムでは、景品管理サーバ３００では先着順に景品の提供を決定し、情報提供サーバ２００において該景品管理サーバ３００へのアクセスに対して条件付けを行っているので、景品提供者にとって最適な景品提供の方法を採用することができる。その他の作用・硬貨については第１の実施の形態と同様である。
【００３５】
なお、上記各実施の形態では、利用者との間で商品の対価を決済して該商品を利用者に提供する決済手段として自動販売機５００を用いたが本発明はこれに限定されるものではない。例えば、いわゆるレジスターと呼ばれる金銭登録器であってもよい。
【００３６】
また、上記各実施の形態では、自動販売機５００に識別番号５０１を刻印したプレートを付設し、利用者が携帯通信端末１００に該識別番号５０１を入力するようにしたが本発明はこれに限定されるものではない。例えば、識別番号５０１を表示する手段として、液晶ディスプレイなど他の表示手段を用いてもよい。また、自動販売機５００及び携帯通信端末１００とを有線又は無線で接続し、識別番号５０１を自動販売機５００から携帯通信端末１００に入力するようにしてもよい。
【００３７】
さらに、上記各実施の形態では、利用者に情報を提供する手段として情報提供サーバ２００を設け、景品提供を決定する手段として景品管理サーバ３００を設け、自動販売機５００を集中管理するサーバとして自動販売機管理サーバ４００を設けたが、それぞれの手段を任意の組み合わせで一つのサーバ上で構成するようにしてもよい。
【００３８】
【発明の効果】
以上詳述したように、請求項１の発明によれば、まず携帯通信端末からの景品提供要求に応じて、景品提供決定手段により景品提供の有無が決定される。次に、前記景品提供の決定に応じて携帯通信端末から入力された商品提供手段の識別情報を前記決済情報の送信手段が受け取ると、該決済情報の送信手段は、該識別情報及び景品情報に基づき、商品提供手段に対して景品の対価を免除する決済情報を商品提供手段に対して送信する。該決済情報を受け取った商品提供手段は、該決済情報に基づき景品に係る商品の対価を免除して該商品を景品として利用者に提供する。
【００３９】
このように、景品提供の決定があった場合には、利用する商品提供手段の識別情報を携帯通信端末に入力することにより、該商品提供手段において景品を受け取ることが可能となる。これにより、景品の配送に係るコストや時間を軽減できるので、利用者に対して景品を迅速且つ低コストで提供できる。
【００４０】
また、請求項２の発明によれば、利用者は情報提供手段から提供される情報に含まれるリンクを辿ることにより前記景品提供決定手段にアクセスすることができる。したがって、景品の提供者は該情報提供手段を利用して利用者に対して各種情報を提供することができる。
【図面の簡単な説明】
【図１】第１の実施の形態に係る景品提供システムの構成図
【図２】第１の実施の形態に係る景品提供システムにおける景品提供の流れを説明する図
【図３】第１の実施の形態に係る景品提供システムにおける携帯通信端末の表示画面を説明する図
【図４】第２の実施の形態に係る景品提供システムの構成図
【図５】第２の実施の形態に係る景品提供システムにおける携帯通信端末の表示画面を説明する図
【符号の説明】
１００…携帯通信端末、２００…情報提供サーバ、２０２…情報提供部、２０３…アクセス管理部、３００…景品管理サーバ、３０２…抽選部、３０３…識別番号等送信部、３０４…先着管理部、４００…自動販売機管理サーバ、５００…自動販売機、５０１…識別番号
【図１】
0003793689.tif 000002
【図２】
0003793689.tif 000003
【図３】
0003793689.tif 000004
【図４】
0003793689.tif 000005
【図５】
0003793689.tif 000006